(57)【要約】      （修正有）【課題】ユーザーがメモの記録や確認をしたい日付欄が含まれる本体シートを探し出し易くし、日付欄のメモ領域を利用し易い壁掛けカレンダーを提供する。【解決手段】複数の日付欄２２が日付順に配列して設けられた複数の本体シート２１と、日付欄が暦順に連続するように複数の本体シートを重ね合わせて上端１３ａで連結した連結部１１と、を備え、日付欄のそれぞれにメモ領域２２ｂが設けられている壁掛けカレンダー１０であり、複数の本体シートの下端１３ｂにおける左右の両隅部又は一方の隅部１３ｃに、符号が記載された着色領域を有して各本体シートを特定可能なシート表示部２５が設けられている。【選択図】図１
0003226838.tif 000002
【実用新案登録請求の範囲】
【請求項１】
複数の日付欄が日付順に配列して設けられた複数の本体シートと、前記日付欄が暦順に連続するように前記複数の本体シートを重ね合わせて上端で連結した連結部と、を備え、前記日付欄のそれぞれにメモ領域が設けられている壁掛けカレンダーにおいて、
前記複数の本体シートの下端における左隅部又は右隅部或いは両隅部に、前記各本体シートを特定可能なシート表示部を設けた壁掛けカレンダー。
【請求項２】
前記シート表示部が、所定形状の着色領域と、前記着色領域に記載された符号と、を有し、前記着色領域は、前記隅部の頂点から連続した下縁の一部と側縁の一部とを用いて所定形状に形成されている、請求項１に記載の壁掛けカレンダー。
【請求項３】
前記各本体シートにおいて、ひと月分の前記日付欄からなる日付表示部が設けられ、前記シート表示部には、重ね合わされた前記本体シートの頁番号又は月を示す番号が表示されている、請求項１又は２に記載の壁掛けカレンダー。
【請求項４】
前記各本体シートには、ひと月分の前記日付欄からなる日付表示部が設けられ、
前記複数の本体シートの最表面には、表紙シートが重ね合わされていて、
前記表紙シートには、縦及び横の寸法が５５％以上８５％以下の範囲で縮小された前記日付表示部がブランク状態で設けられるとともに、前記日付表示部とは異なる位置に表紙表示部が設けられている、請求項１乃至３の何れかに記載の壁掛けカレンダー。
【考案の詳細な説明】
【技術分野】
【０００１】
本考案は、複数のシートが重ね合わされた壁掛けカレンダーに関する。
【背景技術】
【０００２】
従来から複数のシートが重ね合わされて上端で連結された壁掛けカレンダーが多用されている。壁掛けカレンダーの各シートには、それぞれ日付欄が日付順に配列して設けられており、例えば１ヶ月分の日付欄が縦又は横に連続して配置されていたり、１週間毎に改行して配置されていたりする。
【０００３】
このような壁掛けカレンダーとして、種々の事項を記載できるように十分な大きさのメモ領域が日付欄毎に設けられた実用的なものが知られている。このような壁掛けカレンダーでは、例えば複数のシートの中からユーザーがメモを書き込みたい特定の日付欄を含むシートを探して広げ、当該日付欄のメモ領域に各種の事項を記載することができる。その後必要により、特定した日付欄を含むシートを探して広げることで、日付欄のメモ領域に記載した事項を確認することができる。
【０００４】
下記特許文献１、２では、各シートの下端側に月番号が記載されていた。そのため例えば７月１５日の日付欄を検索したいときは、各シートを捲り上げて７月を示すシートを探す際、仮に本月が４月である場合は、下端側の月番号を確認しながら探すことができ、７月の表示シートを特定し易く、日付欄から１５日を見つけやすくなっていた。
【先行技術文献】
【特許文献】
【０００５】
【特許文献１】特許第５８６３９３５号公報
【特許文献２】実開平０７−７９５７号公報
【考案の概要】
【考案が解決しようとする課題】
【０００６】
しかしながら、特許文献１の壁掛けカレンダーでは、複数のシートの下端部を１枚毎に異なる形状に突出させて月番号を記載しているため、各シートの形状が複雑で、作製に手間を要し、コストが嵩むなどの課題があった。
また特許文献２記載の壁掛けカレンダーでは、各シートのサイズが大きいと、壁掛け状態で例えば７月１５日の日付欄を含むシートを探す際、各シートを両手で支持して順番に大きく広げて上方に捲り上げつつ、各シートの下端に記載された月番号を確認する必要があるため、特定の日付欄を含むシートを探すのに手間を要するなどの課題があった。
【０００７】
そこで本考案では、任意に特定される日付欄が含まれる本体シートを簡単に捲ることで探し易くして日付欄のメモ領域を利活用し易くした壁掛けカレンダーを提供することを目的としている。
【課題を解決するための手段】
【０００８】
上記目的を達成するための本考案の壁掛けカレンダーは、複数の日付欄が日付順に配列して設けられた複数の本体シートと、日付欄が暦順に連続するように複数の本体シートを重ね合わせて上端で連結した連結部と、を備え、日付欄のそれぞれにメモ領域が設けられている壁掛けカレンダーにおいて、複数の本体シートの下端における左隅部又は右隅部或いは両隅部に、各本体シートを特定可能なシート表示部を設けた構成でなる。
【０００９】
本考案の壁掛けカレンダーは、シート表示部が、所定形状の着色領域と着色領域に記載された符号とを有し、着色領域は、隅部の頂点から連続した下縁の一部と側縁の一部とを用いて所定形状に形成される。
【００１０】
本考案の壁掛けカレンダーにおいて、各本体シートには、ひと月分の日付欄からなる日付表示部が設けられ、シート表示部には、重ね合わされた本体シートの頁番号、又は月を示す番号が表示される。ひと月分の日付表示部は、１枚のシートに単月分が表示されてもよく、上下または左右に複数月分が表示されてもよい。
【００１１】
本考案の壁掛けカレンダーにおいて、好ましくは、各本体シートにひと月分の日付欄からなる日付表示部が設けられ、複数の本体シートの最表面には表紙シートが重ね合わされ、表紙シートには縦及び横の寸法が５５％以上８５％以下の範囲で縮小された日付表示部がブランク状態で設けられるとともに、日付表示部とは異なる位置に表紙表示部が設けられる。
【考案の効果】
【００１２】
本考案の壁掛けカレンダーによれば、各本体シートの日付欄毎にメモ領域が設けられているので、ユーザーは、本体シートを目的の月まで捲って、特定の日付欄に予定や行事或いは注意事項などのメモを記載したり確認したりして利活用できる。その際、各本体シートを特定するためのシート表示部が各本体シートの下端の左隅部又は右隅部又は両隅部に設けられているので、ユーザーは、重ね合わされた複数の本体シートを大きく広げることなく、その下端隅部だけを僅かに捲るだけで、各本体シートのシート表示部を確認して、ユーザーが意図する所望の日付欄を含む本体シートを探し出すことができる。
【００１３】
特に各本体シートのシート表示部が下端の側縁側となる隅部に設けられているため、各本体シートを大きく捲り上げることなく、各本体シートの下端における一方の隅部だけを僅かに捲ることで所望の本体シートを探し出すことができる。このため、各本体シートのサイズが大きく下端の幅が広くても、一方の隅部だけを捲るため、極めて容易に所望の本体シートを探し出すことができ、例えば片手の手指だけでも探すことが可能である。
このようにして、ユーザーは本体シートの目的の日付欄が特定された月を探し出し易く、目的の日付欄にいち早くたどり着いて、メモ領域への書き込みや確認が直ちに利用できる壁掛けカレンダーを提供することができる。
【００１４】
本考案の壁掛けカレンダーにおいて、シート表示部が、所定形状の着色領域と、着色領域に記載された数字と、を有していれば、着色領域を目印に各本体シートのシート表示部の位置を把握でき、各本体シートのシート表示部を容易に確認し得る。特に着色領域が隅部の頂点から連続した下縁の一部と側縁の一部とを用いて所定形状に形成されているので、シート表示部を確認する際、各本体シートを捲る範囲を着色領域により把握し易いことに加え、各本体シートを捲るときに手指で支える位置となる下端の隅部における頂点、下縁、及び側縁を明確に表示できる。そのためユーザーは目的の日付欄が特定された月の本体シートを一層探し出し易くすることができる。
【００１５】
本考案の壁掛けカレンダーにおいて、各本体シートにはひと月分の日付欄からなる日付表示部が設けられ、シート表示部に重ね合わされた本体シートの頁番号が表示されていれば、連続した番号でシート表示部を表示できる。そのためユーザーは目的の日付欄が特定された月の本体シートを探す際、捲る本体シートの重ね合わせの位置を把握し易く、複数の本体シートから特定の本体シートに辿り易い。
【００１６】
本考案の壁掛けカレンダーには、各本体シートにはひと月分の日付欄からなる日付表示部が設けられ、重ね合わされた複数の本体シートの最表面にさらに表紙シートが重ね合わされ、しかも、この表紙シートに日付表示部が縮小して設けられ、日付表示部とは異なる位置に表紙表示部が設けられていてもよい。この場合は、複数の本体シートに設けられた日付表示部の見本が表紙シートに表示されるので、ユーザーがカレンダーを購入する際に、１月から１２月までの月ごとの日付表示部のデザインを含む全体的なレイアウトが表紙シートを見るだけで一見して把握でき、カレンダー購入の目安とすることができるとともに、タイトルや各種説明等の表紙表示部を見やすく表示できる。
【００１７】
特に表紙シートの日付表示部が縦及び横の寸法を５５％以上８５％以下の範囲で縮小して設けられていると、表紙シートに表紙表示部を十分な大きさで表示しつつ、その中の日付表示部を過剰に小さくすることなく表示できる。そのため表紙シートにより内部の日付表示部を違和感なく把握でき、カタログやインターネット等にも展示し易い。
しかも縦及び横の寸法を５５％以上８５％以下の範囲で縮小された日付表示部がブランク状態で表示されているので、表紙シートの日付表示部を単なる見本としてだけでなく、各本体シート内部の日付表示部と同様に有効に使用できる。従って、１１月など年末に次年度のカレンダーを購入する場合、例えば本年度の１２月の日付表示部もメモ記入などに利用でき、表紙シートを有効に活用できて、展示しやすい壁掛けカレンダーを提供することができる。
【図面の簡単な説明】
【００１８】
【図１】本考案の第１実施形態に係る壁掛けカレンダーにおいて、１月の本体シートの正面図である。
【図２】第１実施形態に係る壁掛けカレンダーの表紙シートの正面図である。
【図３】第１実施形態に係る壁掛けカレンダーの後面シートの正面図である。
【図４】第１実施形態に係る壁掛けカレンダーのシート表示部を示す部分拡大図である。
【図５】第２実施形態に係る壁掛けカレンダーにおいて１月の本体シートの正面図である。
【図６】第２実施形態に係る壁掛けカレンダーの表紙シートの正面図である。
【図７】第２実施形態に係る壁掛けカレンダーの後面シートの正面図である。
【図８】第２実施形態に係る壁掛けカレンダーの使用途中の状態を示す正面図である。
【考案を実施するための形態】
【００１９】
［第１実施形態］
以下、本考案の実施形態について図を用いて詳細に説明する。
図１〜図４は第１実施形態の壁掛けカレンダー１０を示す。
第１実施形態の壁掛けカレンダー１０は、図１に示す複数の本体シート２１を重ね合わせた本体シートの束２０と、本体シートの束２０の最表面に重ね合わせた図２に示す表紙シート３０と、本体シートの束２０の最後面に重ね合わせた図３に示す後面シート４０と、を備えている。
【００２０】
複数の本体シート２１と表紙シート３０と後面シート４０は、いずれも同一の四角形状の紙片からなり、上縁２１ａ、下縁２１ｂ、左右の側縁２１ｃを揃えて前後に重ね合わせた状態で、上端１３ａの連結部１１で一体に連結されている。
【００２１】
本体シートの束２０は、本実施形態では１２カ月分に対応する１２枚の本体シート２１からなり、図１に示すように、各本体シート２１には複数の日付欄２２が日付順に配列して設けられており、ひと月分の日付欄２２が暦に従って配列されることにより日付表示部２３が形成されている。１２枚の本体シート２１は日付欄２２が暦順に連続するように順次重ね合わされている。
【００２２】
各本体シート２１には、下端１３ｂにおける隅部１３ｃに各本体シート２１を特定するシート表示部２５が設けられている。シート表示部２５は、図４に示すように、各本体シート２１の下端１３ｂにおける隅部１３ｃに所定形状に設けられた着色領域２５ａと、着色領域２５ａの範囲内に反転文字で記載された数字２５ｂと、を有している。本実施形態の着色領域２５ａは、本体シート２１の左下端１３ｂの左隅部１３ｃにおける頂点１３ｅと、頂点１３ｅから連続した本体シート２１の下縁２１ｂの一部と、頂点１３ｅから連続した本体シート２１の側縁２１ｃの一部と、を用いた三角形状に形成されて、左隅部に形成されているが、右隅部に形成されていてもよく、或いは、左右両隅部に形成されてもよい。
【００２３】
着色領域２５ａの範囲内に記載された符号、本実施形態では数字２５ｂは、本例では重ね合わされた状態の複数の本体シート２１の表面側からのページ番号となっている。数字２５ｂの代わりに又は数字２５ｂとともに他の文字、記号、絵等を、本体シート２１毎に互いに異なるように設けることも可能である。数字２５ｂは全体が着色領域２５ａ内に配置される。本考案で、シート表示部２５に付す「符号」とは、数字、文字、記号、絵柄等の何れか又は組合せを含む概念として用いている。また、ページ番号に代えて、該当する月数に対応する１〜１２の月数字や、１月から順に「Ｊａｎ」「Ｆｅｂ」「Ｍａｒ」などの英文字を付すようにしてもよい。シート表示部２５は重ね合わされた全てのシート２１，３０，４０に表面側から連続して設けていてもよいが、本実施形態では、本体シートの束２０及び後面シート４０に連続して設けている。
【００２４】
各本体シート２１の日付表示部２３は、ひと月分の日付欄２２を横方向に配列して１週間単位で改行した表形状に形成されている。本実施形態の本体シートの束２０には、１月分の日付表示部２３が設けられた本体シート２１から１２月分の日付表示部２３が設けられた本体シート２１までが含まれているが、図１には、１月分の本体シート２１を代表例として示している。
日付欄２２のそれぞれには、日付を示す日付数字２２ａと、その下段にメモ領域２２ｂとが設けられている。各メモ領域２２ｂには、それぞれ３本以上の罫線２２ｃが略均等の間隔で設けられている。日曜日及び祝日の日付欄２２と土曜日の日付欄２２には互いに異なる淡色で着色され、平日と区別されている。さらに本実施形態の各日付欄２２には、六曜、二十四節気、雑節、主な月齢、三隣亡などが記載されている。
【００２５】
各本体シート２１における日付表示部２３と連結部１１との間には、当月月数２７と、当月月数２７の左隣に配置された前月分の縮小カレンダー２８と、当月月数の右隣に配置された当月後の３カ月分の縮小カレンダー２８と、が表示されている。そのため各本体シート２１には、当月分の大きな日付表示部２３を含めて合計５カ月分の暦が記載されている。
【００２６】
本実施形態の各本体シート２１の日付表示部２３はいずれも同じ大きさに設けられている。また各本体シート２１に対する日付表示部２３のサイズは、特に制限されるものではないが、本実施形態では日付表示部２３の横幅及び縦の長さがいずれも本体シート２１の横幅及び縦の長さの６０％以上、好ましくは６５％以上とされている。
【００２７】
表紙シート３０は、本体シートの束２０の最表面に重ね合わされている。表紙シート３０には、図２に示すように、各本体シート２１に設けられた日付表示部２３と略同じ形状を有して各本体シート２１より縮小された日付表示部２３Ａと、日付表示部２３とは異なる位置に配置されてタイトルや各種説明等の表紙に必要な事項を表示する表紙表示部３１と、が設けられている。
【００２８】
表紙シート３０には、本体シートの束２０の最表面に設けられた日付表示部２３の前月分の日付表示部２３Ａが設けられている。本実施形態では、本体シートの束２０の最表面に１月分の日付表示部２３が設けられ、表紙シート３０には前年の１２月分の日付表示部２３Ａが設けられている。
【００２９】
表紙シート３０の日付表示部２３Ａは、本体シート２１の日付表示部２３を縮小した相似形状であってもよいが、本実施形態では、外観品質等の観点から横幅と縦の長さとをそれぞれ異なる割合で縮小した縮小形状にしている。
この表紙シート３０の日付表示部２３Ａは、大きさ以外は本体シート２１の日付表示部２３と全て同一に形成されていて、日付表示部２３Ａの各日付欄２２のメモ領域２２ｂは全てブランク状態で設けられている。そのため日付表示部２３Ａのメモ領域２２ｂは、本体シート２１の日付表示部２３のメモ領域２２ｂと同様に有効に活用することが可能である。
【００３０】
表紙シート３０の日付表示部２３Ａの縮小率は、特に制限されるものではないが、本実施形態では縦及び横の寸法が、本体シート２１の日付表示部２３の各寸法に対して５５％以上８５％以下の範囲とされている。表紙シート３０の日付表示部２３Ａが過剰に大きいと、表紙シート３０における残部の領域が狭くなり、表紙表示部３１が小さくなる。一方、表紙シート３０の日付表示部２３Ａが過剰に小さいと、各日付欄２２のメモ領域２２ｂが小さくなり、本体シート２１の日付表示部２３のメモ領域２２ｂと同様に使用することが困難になる。
【００３１】
例えば、表紙シート３０の日付表示部２３Ａの縦寸法を本体シート２１の日付表示部２３の縦寸法の約６２．５％として、本実施形態の壁掛けカレンダー１０を作製しところ、本体シート２１の各日付欄２２のメモ領域２２ｂの罫線２２ｃ間の間隔が約８ｍｍ、表紙シート３０の各日付欄２２のメモ領域２２ｂの罫線２２ｃの間隔が約５ｍｍとなった。この壁掛けカレンダー１０を部屋の壁に掛け、日付欄２２のメモ領域２２ｂの罫線２２ｃ間に文字を記載し、表紙シート３０の日付欄２２のメモ領域２２ｂの罫線２２ｃ間に同じ文字を記載したところ、部屋の中心付近からいずれも読み取ることができた。
【００３２】
ところが日付表示部２３Ａをより縮小することで、日付表示部２３Ａの縦寸法を本体シート２１の日付表示部２３の縦寸法に対して約４０％として表紙シート３０を作製したところ、各日付欄２２のメモ領域２２ｂの罫線２２ｃの間隔は約３．２ｍｍとなった。この表紙シート３０を有する壁掛けカレンダー１０を同じ部屋の壁に掛け、日付欄２２のメモ領域２２ｂの罫線２２ｃ間に上記と同じ文字を記載したところ、壁から約２ｍの位置では読み取ることが困難であった。
【００３３】
後面シート４０は、本体シートの束２０の最後面に重ね合わされている。後面シート４０には、本体シート２１の日付表示部２３とは異なる形状を有し、ひと月分の日付欄２２が１週間単位で改行して配列した表形状の簡易日付表示部２３Ａが、上中下段にそれぞれ３カ月分設けられている。
この後面シート４０の下端１３ｂにおける隅部１３ｃには、本体シートの束２０と同様のシート表示部２５が設けられ、着色領域２５ａには本体シートの束２０から連続する数字２５ｂが記載されている。
【００３４】
連結部１１は、１２枚の本体シート２１と表紙シート３０と後面シート４０とを上端１３ａの全幅で一体に連結している。本実施形態の連結部１１は、特に制限されるものではないが、全シート２１，３０，４０の上端１３ａを全幅にわたり接着により一体化したものである。
【００３５】
連結部１１から各シート２１，３０，４０を順次分離して除去することができるように、連結部１１と日付表示部２３，２３Ａ等が設けられた残部との間には、連結部１１に沿ってミシン目が設けられている。
さらに連結部１１には、壁に掛けるための吊下げ孔や吊り具等が設けられているが詳細な図示は省略する。
【００３６】
次に本実施形態の壁掛けカレンダー１０の使用方法について説明する。この壁掛けカレンダー１０は、連結部１１に設けられた図示しない吊下げ孔や吊り具等を用いて壁に掛け下げて使用される。
使用時には、まず表紙シート３０の日付表示部２３Ａに対応したひと月間は表紙シート３０を表面に配置して使用する。その後、月が変わるたびに最も表面側のシート２１，３０を、順次、連結部１１から分離除去することで、各本体シート２１の日付表示部２３を露出させて使用する。
使用期間中に、ユーザーは目的の日付欄２２に、メモを記載したり、記載したメモを確認したりするときには、その都度、表紙シート３０や本体シート３０を捲り、任意に特定された日付欄２２を有する表紙シート３０の日付表示部２３Ａや本体シート２１の日付表示部２３を露出させて、記載や確認を行って使用することができる。
【００３７】
次に、本実施形態の壁掛けカレンダー１０における作用効果について説明する。
この壁掛けカレンダー１０によれば、各本体シート２１の日付欄２２毎にメモ領域２２ｂが設けられているので、ユーザーは目的の日付欄２２が含まれる本体シート２１を露出させてメモを記載したり確認したりして使用できる。その際、各本体シート２１を特定するためのシート表示部２５が各本体シート２１の下端１３ｂの隅部に設けられているので、重ね合わされた複数の本体シート２１下端１３ｂの隅部だけをわずかに捲るだけで、各本体シート２１のシート表示部２５を確認して、目的の日付欄２２が含まれる所望の本体シート２１を探すことができる。
【００３８】
特に、各本体シート２１のシート表示部２５が下端１３ｂの側縁２１ｃ側となる隅部１３ｃに設けられているため、各本体シート２１を大きく捲り上げることなく、各本体シート２１の下端１３ｂにおける一方の隅部１３ｃだけを捲ることで所望の本体シート２１を探すことができる。各本体シート２１が大きくて下端１３ｂの幅が広くても、一方の隅部１３ｃだけを捲るため、容易に所望の本体シート２１を探し出すことができ、例えば片手の手指で探すことも可能である。よって、ユーザーが目的の日付欄２２が含まれる本体シート２１を探し易く日付欄２２のメモ領域２２ｂを利用し易い壁掛けカレンダー１０を実現できる。
【００３９】
また本実施形態の壁掛けカレンダー１０によれば、シート表示部２５が、所定形状の着色領域２５ａと着色領域２５ａに記載された数字２５ｂとを有しているので、着色領域２５ａを目印にして各本体シート２１のシート表示部２５の位置を把握でき、各本体シート２１のシート表示部２５を確認し易い。
特に着色領域２５ａが隅部１３ｃの頂点１３ｅから連続した下縁２１ｂの一部と側縁２１ｃの一部とを用いて所定形状に形成されているので、シート表示部２５を確認する際、各本体シート２１を捲る範囲を着色領域２５ａにより把握し易いことに加え、各本体シート２１を捲るときに手指で支える位置となる隅部１３ｃの頂点１３ｅ、下縁２１ｂ、及び側縁２１ｃを明確に表示できる。そのためユーザーは目的の日付欄２２が含まれる本体シート２１をより探し出し易い。
【００４０】
本実施形態の壁掛けカレンダー１０によれば、各本体シート２１にはひと月分の日付欄２２からなる日付表示部２３が設けられ、シート表示部２５には重ね合わされた本体シート２１の頁番号又は月番号となる数字２５ｂが表示されているので、連続した番号でシート表示部２５を表示でき、ユーザーは目的の日付欄２２が含まれる本体シート２１を探す際、捲る本体シート２１の重ね合わせた中での位置を把握でき、複数の本体シート２１から特定の本体シート２１を探し易い。
【００４１】
また本実施形態の壁掛けカレンダー１０によれば、本体シートの束２０の最表面に重ね合わされた表紙シート３０に日付表示部２３が縮小して設けられ、日付表示部２３Ａとは異なる位置に表紙表示部３１が設けられているので、各本体シート２１に設けられた日付表示部２３の見本を表紙シート３０に表示できるとともに、タイトルや各種説明等の表紙表示部３１を見やすく表示できる。
【００４２】
特に各本体シート２１の日付表示部２３が、縦及び横の寸法を５５％以上８５％以下の範囲に縮小して表紙シート３０に設けられているので、表紙シート３０に表紙表示部３１を十分な大きさで表示しつつ内部の日付表示部２３を過剰に小さくすることなく表示できる。そのため表紙シートにより内部の日付表示部２３を違和感なく把握でき、カタログやインターネット等にも展示し易い。
【００４３】
しかも縦及び横の寸法を５５％以上８５％以下の範囲で縮小した日付表示部２３Ａがブランク状態で表示されているので、表紙シート３０の日付表示部２３Ａを単なる見本としてだけでなく、各本体シート２１の日付表示部２３と同様に有効に活用することが可能である。
【００４４】
［第２実施形態］
次に、本考案の第２実施形態について説明する。
図５〜図８は第２実施形態の壁掛けカレンダー１０を示す。第２実施形態の壁掛けカレンダー１０は、第１実施形態と同様に、図５に示す複数の本体シートの束２０と、図６に示す表紙シート３０と、図７に示す後面シート４０と、を備えている。
【００４５】
本体シートの束２０は、１２カ月分に対応する１２枚の本体シート２１からなり、各本体シート２１には第１実施形態と同様に、ひと月分の日付欄２２を暦に従って配列した日付表示部２３が設けられ、暦順に重ね合わされている。日付欄２２のそれぞれには、同じく日付数字２２ａとメモ領域２２ｂとが設けられている。また各本体シート２１の下端１３ｂにおける隅部１３ｃには、第１実施形態と同じシート表示部２５が設けられている。日付表示部２３と連結部１１との間には、第１実施形態と同様に当月の月数２７と、月数２７の両側に前１カ月分及び後３カ月分の縮小カレンダー２８とが表示されている。
【００４６】
第２実施形態の表紙シート３０は、各本体シート２１と同じサイズに形成されていて、本体シートの束２０の最表面に重ね合わされている。この表紙シート３０には、タイトル等を含む表紙表示部３１と前年の１２月分の日付が配列して記載された前月分表示部３２とが優れた外観品質で設けられている。
【００４７】
後面シート４０は、各本体シート２１と同じ横幅で各本体シート２１より縦の長さが長くなるように形成されていて、本体シートの束２０の最後面に上端１３ａ及び両側縁２１ｃを揃え、下端部１４を本体シート２１から下側に露出した状態で重ね合わされている。後面シート４０には、本体シート２１の日付表示部２３とは異なるレイアウトを有し、ひと月分の日付欄２２が１週間単位で改行して配列した表形状の簡易日付表示部２３Ａが、３カ月分設けられている。
【００４８】
後面シート４０の下端部１４において、各本体シート２１の下端１３ｂの隅部１３ｃと重なる対応位置には、本体シートの束２０と同じシート表示部２５が設けられており、着色領域２５ａに本体シートの束２０から連続する数字２５ｂが記載されている。この後面シート４０の下端部１４には、文字、図形、模様、絵、広告等の後面表示部４１が設けられている。後面表示部４１は、表紙シート３０及び本体シート２１の束の下端より下側に常時表示された状態で保たれる。
【００４９】
第２実施形態の壁掛けカレンダー１０によれば、第１実施形態と同様に、各本体シート２１の日付欄２２毎にメモ領域２２ｂが設けられているので、メモを記載したり確認したりして利用できる。
またシート表示部２５が各本体シート２１の下端１３ｂに設けられているので、重ね合わされた複数の本体シート２１の下端１３ｂだけをわずかに捲るだけで、所望の本体シート２１を探すことができる。特にシート表示部２５が下端１３ｂの側縁２１ｃ側となる隅部１３ｃに設けられているため、各本体シート２１の下端１３ｂにおける一方の隅部１３ｃだけを捲ることで所望の本体シート２１を探すことができ、例えば片手の手指だけでも探すことが可能である。
【００５０】
本実施形態の壁掛けカレンダー１０によれば、シート表示部２５が、所定形状の着色領域２５ａと着色領域２５ａに記載された数字２５ｂとを有しているので確認し易く、着色領域２５ａが隅部１３ｃの頂点１３ｅから連続した下縁２１ｂ及び側縁２１ｃを用いて形成されているので把握し易く、各本体シート２１を捲るときに手指で支える位置を明確に表示できる。
さらに本実施形態の壁掛けカレンダー１０によれば、各本体シート２１のシート表示部２５に重ね合わされた本体シート２１の頁番号の数字２５ｂが表示されているので、本体シート２１を探す際、捲る本体シート２１の重ね合わせの位置を把握し易い。そのため第１実施形態と同様に、ユーザーは目的の日付欄２２が含まれる本体シート２１を探し易く日付欄２２のメモ領域２２ｂを容易に利用し得る。
【００５１】
なお、上記第１及び第２実施形態は、本考案の範囲内において適宜変更可能である。例えば上記実施形態では、各本体シート２１に、ひと月分の日付欄２２からなる日付表示部２３が単数設けられた例について説明したが、特に限定されるものではなく、各本体シート２１にひと月分の日付欄２２からなる日付表示部２３が複数、例えばふた月分で設けられていても、本考案を適用することが可能である。その場合、各本体シート２１のシート表示部２５には表面側から本体シート２１の頁数が記載されていてもよく、各本体シート２１に記載された日付表示部２３に対応した月数を記載してもよい。
【００５２】
また上記実施形態では、シート表示部２５として、本体シート２１の下端１３ｂの隅部１３ｃの頂点から三角形形状に形成された着色領域２５ａの例を説明したが、着色領域２５ａの形状は特に限定されるものではなく、頂点１３ｅから連続した本体シート２１の下縁２１ｂの一部及び側縁２１ｃの一部を用いた四角形状などに形成されていてもよい。
【符号の説明】
【００５３】
１０  壁掛けカレンダー
１１  連結部
１３ａ  上端
１３ｂ  下端
１３ｃ  隅部
１３ｅ  頂点
１４  下端部
２０  本体シートの束
２１  本体シート
２１ａ  上縁
２１ｂ  下縁
２１ｃ  側縁
２２  日付欄
２２ａ  日付数字
２２ｂ  メモ領域
２２ｃ  罫線
２３，２３Ａ  日付表示部
２５  シート表示部
２５ａ  着色領域
２５ｂ  数字
２７  月数
２８  縮小カレンダー
３０  表紙シート
３１  表紙表示部
３２  前月分表示部
４０  後面シート
４１  後面表示部
【図１】
0003226838.tif 000003
【図２】
0003226838.tif 000004
【図３】
0003226838.tif 000005
【図４】
0003226838.tif 000006
【図５】
0003226838.tif 000007
【図６】
0003226838.tif 000008
【図７】
0003226838.tif 000009
【図８】
0003226838.tif 000010